(57)【要約】【課題】簡単な構成で、複数種類のケーブルに対応可能なコネクタを提供する。【解決手段】コネクタは、ケーブル２ａ〜２ｅと、ケーブル２ａ〜２ｅにそれぞれ対応し、ＭＩＤ技術により表面にそれぞれ形成される配線部３ａ〜３ｅを備えるボディとを備える。配線部３ａ〜３ｅは、ケーブル２ａ〜２ｅにそれぞれ結線される結線部３１ａ〜３１ｅと、結線部３１ａ〜３１ｅにそれぞれ対応し、対象となる複数の端子にそれぞれ接触する接点部３２ａ〜３２ｅとをそれぞれ有する。結線部３１ａ〜３１ｅは、一方向に沿ってそれぞれ配列され、少なくとの一つの結線部３１の一方向における中心Ｑが対応する接点部３２ａ〜３２ｅの中心Ｒとずらして配置される。【選択図】図２
2015072815.tif 000002
【特許請求の範囲】
【請求項１】
複数のケーブルと、
前記複数のケーブルにそれぞれ対応し、ＭＩＤ技術により表面にそれぞれ形成される複数の配線部を備えるボディと
を備え、
前記複数の配線部は、前記複数のケーブルにそれぞれ結線される複数の結線部と、前記複数の結線部にそれぞれ対応し、対象となる複数の端子にそれぞれ接触する複数の接点部とをそれぞれ有し、
前記複数の結線部は、一方向に沿ってそれぞれ配列され、少なくとも一つの前記結線部の前記一方向における中心が対応する前記接点部の中心とずらして配置されることを特徴とするコネクタ。
【請求項２】
前記ボディは、前記複数の結線部とそれぞれ結線された各芯線の間に、前記複数のケーブルの位置決めを行う凸部を有することを特徴とする請求項１に記載のコネクタ。
【請求項３】
前記複数のケーブルは、前記複数の結線部とそれぞれ結線された各芯線が、それぞれ同一の接平面を有するように配置されることを特徴とする請求項１又は２に記載のコネクタ。
【請求項４】
前記複数のケーブルは、互いに異なる太さを有する芯線を含むことを特徴とする請求項３に記載のコネクタ。
【請求項５】
前記結線部は、前記ケーブルの芯線に沿うように凹状に形成された結線面を有することを特徴とする請求項１〜４のいずれか１項に記載のコネクタ。
【請求項６】
前記ボディは、前記結線面が形成される領域に、前記結線面に対応する形状の凹部を有することを特徴とする請求項５に記載のコネクタ。
【請求項７】
前記複数のケーブルの少なくとも一つは、シールド層を有する同軸ケーブルであり、
前記複数の結線部の少なくとも一つは、前記シールド層及び接地電位に接続されることを特徴とする請求項１〜６のいずれか１項に記載のコネクタ。
【請求項８】
前記シールド層及び接地電位に接続された結線部を有する前記配線部は、前記一方向において他の前記配線部の両端側に形成されることを特徴とする請求項７に記載のコネクタ。
【請求項９】
前記結線部と前記結線部に対応する前記接点部とは、配線幅が互いに異なることを特徴とする請求項１〜８のいずれか１項に記載のコネクタ。
【発明の詳細な説明】
【技術分野】
【０００１】
本発明は、コネクタに関する。
【背景技術】
【０００２】
一般に、細線同軸ケーブルのコネクタの端子は順送金型プレス加工で形成される。そのため、端子は全て同一形状となり、ケーブルの芯線と端子との結線部と、端子の接点部とは同ピッチに配列される。
【０００３】
一方、いわゆる射出成形回路部品（ＭＩＤ：Molded Interconnection Device)の手法で形成された狭ピッチコネクタが知られている（特許文献１参照）。特許文献１に記載のコネクタは、ケーブルと結線される結線部を備えず、他の端子と接触される接点部を備える。
【先行技術文献】
【特許文献】
【０００４】
【特許文献１】特開平８−３１５２７号公報
【発明の概要】
【発明が解決しようとする課題】
【０００５】
しかしながら、複数のケーブルと結線される結線部を備えるコネクタの場合、結線するケーブルに応じて、結線部のピッチを接点部のピッチに対して変更したいという課題が生じる場合がある。
本発明は、上記問題点を鑑み、簡単な構成で、複数種類のケーブルに対応可能なコネクタを提供することを目的とする。
【課題を解決するための手段】
【０００６】
上記目的を達成するために、本発明の第１の態様は、複数のケーブルと、複数のケーブルにそれぞれ対応し、ＭＩＤ技術により表面にそれぞれ形成される複数の配線部を備えるボディとを備えるコネクタであることを要旨とし、複数の配線部は、複数のケーブルにそれぞれ結線される複数の結線部と、複数の結線部にそれぞれ対応し、対象となる複数の端子にそれぞれ接触する複数の接点部とをそれぞれ有し、複数の結線部は、一方向に沿ってそれぞれ配列され、少なくとも一つの結線部の一方向における中心が対応する接点部の中心とずらして配置されることを特徴とする。
【０００７】
また、本発明の第２の態様に係るコネクタは、第１の態様に係るコネクタにおいて、ボディは、複数の結線部とそれぞれ結線された各芯線の間に、複数のケーブルの位置決めを行う凸部を有することを特徴とする。
【０００８】
また、本発明の第３の態様に係るコネクタは、第１又は第２の態様に係るコネクタにおいて、複数のケーブルは、複数の結線部とそれぞれ結線された各芯線が、それぞれ同一の接平面を有するように配置されることを特徴とする。
【０００９】
また、本発明の第４の態様に係るコネクタは、第３の態様に係るコネクタにおいて、複数のケーブルは、互いに異なる太さを有する芯線を含むことを特徴とする。
【００１０】
また、本発明の第５の態様に係るコネクタは、第１〜第４のいずれかの態様に係るコネクタにおいて、結線部は、ケーブルの芯線に沿うように凹状に形成された結線面を有することを特徴とする。
【００１１】
また、本発明の第６の態様に係るコネクタは、第５の態様に係るコネクタにおいて、ボディは、結線面が形成される領域に、結線面に対応する形状の凹部を有することを特徴とする。
【００１２】
また、本発明の第７の態様に係るコネクタは、第１〜第６のいずれかの態様に係るコネクタにおいて、複数のケーブルの少なくとも一つは、シールド層を有する同軸ケーブルであり、複数の結線部の少なくとも一つは、シールド層及び接地電位に接続されることを特徴とする。
【００１３】
また、本発明の第８の態様に係るコネクタは、第７のいずれかの態様に係るコネクタにおいて、シールド層及び接地電位に接続された結線部を有する配線部は、一方向において他の配線部の両端側に形成されることを特徴とする。
【００１４】
また、本発明の第９の態様に係るコネクタは、第１〜第８のいずれかの態様に係るコネクタにおいて、結線部と結線部に対応する前記接点部とは、配線幅が互いに異なることを特徴とする。
【発明の効果】
【００１５】
本発明によれば、簡単な構成で、複数種類のケーブルに対応可能なコネクタを提供することができる。
【図面の簡単な説明】
【００１６】
【図１】本発明の第１実施形態に係るコネクタの基本的な構成を説明する模式的な斜視図である。
【図２】本発明の第１実施形態に係るコネクタを説明する平面図である。
【図３】図２のＡ−Ａ方向から見た断面図である。
【図４】図３の拡大断面図である。
【図５】図２のＢ−Ｂ方向から見た断面図である。
【図６】本発明の第１実施形態に係るコネクタが対象コネクタと嵌合する様子を説明する斜視図である。
【図７】本発明の第１実施形態に係るコネクタが対象コネクタと嵌合する様子を説明する斜視図である。
【図８】図７のＣ−Ｃ方向から見た断面を説明する斜視断面図である。
【図９】（ａ）は、本発明の第２実施形態に係るコネクタの基本的な構成を説明する模式的な斜視図である。（ｂ）は、（ａ）のＤ−Ｄ方向から見た断面図である。
【図１０】本発明の第２実施形態に係るコネクタを、ケーブルを省略して説明する斜視図である。
【図１１】本発明の第２実施形態に係るコネクタを、ケーブルを省略して説明する平面である。
【図１２】（ａ）は、図１１のＥ−Ｅ方向から見た断面図である。（ｂ）は、図１１のＦ−Ｆ方向から見た断面図である。
【図１３】本発明の第２実施形態に係るコネクタを説明する底面図である。
【図１４】（ａ）は、図１２（ａ）にケーブルを追加した断面図である。（ｂ）は、図１２（ｂ）にケーブルを追加した断面図である。
【図１５】本発明の第２実施形態の変形例に係るコネクタの基本的な構成を説明する模式的な斜視図である。
【図１６】（ａ）は、本発明の第２実施形態の変形例に係るコネクタを、ケーブルを省略して説明する斜視図である。（ｂ）は、（ａ）のＤ−Ｄ方向から見た断面図である。
【発明を実施するための形態】
【００１７】
次に、図面を参照して、本発明の第１及び第２実施形態を説明する。以下の図面の記載において、同一又は類似の部分には同一又は類似の符号を付し、重複する説明を省略している。但し、以下に示す実施形態は、本発明の技術的思想を具体化するための装置や方法を例示するものであって、下記の実施形態に例示した装置や方法に構成を特定するものでない。本発明の技術的思想は、特許請求の範囲に記載された技術的範囲内において、種々の変更を加えることができる。
【００１８】
（第１実施形態）
本発明の第１実施形態に係るコネクタ１は、図１に示すように、複数のケーブル２ａ〜２ｅと、複数のケーブル２ａ〜２ｅにそれぞれ対応する複数の配線部３ａ〜３ｅを備えるボディ４とを備える。
【００１９】
ケーブル２ａ〜２ｅは、図２に示すように、芯線２１ａ〜２１ｃをそれぞれ備えるディスクリートケーブル２ａ〜２ｃと、芯線２１ｄ，２１ｅをそれぞれ備える同軸ケーブル２ｄ，２ｅとから構成される。ケーブル２ａ〜２ｅは、互いに略平行になるように、一方向（図２における左右方向）に配列される。
【００２０】
ディスクリートケーブル２ａ〜２ｃは、それぞれ絶縁体からなり、芯線２１ａ〜２１ｃをそれぞれ被覆する被覆層２２ａ〜２２ｃをそれぞれ備える。被覆層２２ａ〜２２ｃは、ディスクリートケーブル２ａ〜２ｃの結線される先端部において、芯線２１ａ〜２１ｃが露出するように除去されている。芯線２１ａ〜２１ｃ、被覆層２２ａ〜２２ｃは、それぞれ、互いに等しい直径を有する。
【００２１】
同軸ケーブル２ｄ，２ｅは、それぞれ絶縁体からなり、芯線２１ｄ，２１ｅをそれぞれ被覆する第１被覆層２２ｄ，２２ｅと、シールド層２３ｄ，２３ｅと、第２被覆層２４ｄ，２４ｅとを備える。シールド層２３ｄ，２３ｅは、それぞれ導体からなり、第１被覆層２２ｄ，２２ｅの外周をそれぞれ覆うことにより、芯線２１ｄ，２１ｅに対するノイズをそれぞれ遮蔽とする。第２被覆層２４ｄ，２４ｅは、シールド層２３ｄ，２３ｅの外周をそれぞれ被覆する。第１被覆層２２ｄ，２２ｅ、シールド層２３ｄ，２３ｅ、及び第２被覆層２４ｄ，２４ｅは、先端から順に露出するように、結線される先端部において、先端から順に除去されている。芯線２１ｄ，２１ｅ、第１被覆層２２ｄ，２２ｅ、シールド層２３ｄ，２３ｅ、及び第２被覆層２４ｄ，２４ｅは、それぞれ、互いに等しい直径を有する。
【００２２】
ディスクリートケーブル２ａ〜２ｃは、同軸ケーブル２ｄ，２ｅより太い。また、ディスクリートケーブル２ａ〜２ｃの芯線２１ａ〜２１ｃは、同軸ケーブル２ｄ，２ｅの芯線２１ｄ，２１ｅより太い。
【００２３】
配線部３ａ〜３ｅは、射出成形回路部品（ＭＩＤ：Molded Interconnect Device）技術により、ボディ４の表面にそれぞれ形成される。配線部３ａ〜３ｅは、ケーブル２ａ〜２ｅにそれぞれ結線される結線部３１ａ〜３１ｅと、接点部３２ａ〜３２ｅとをそれぞれ有する。
【００２４】
結線部３１ａ〜３１ｅは、配線部３ａ〜３ｅのそれぞれ一端側に形成される。接点部３２ａ〜３２ｅは、配線部３ａ〜３ｅのそれぞれ他端側に形成される。接点部３２ａ〜３２ｅは、結線部３１ａ〜３１ｅからそれぞれ延伸する帯状の延伸部を介して、それぞれ結線部３１ａ〜３１ｅに連結される。接点部３２ａ〜３２ｅは、配線部３ａ〜３ｅの延伸部において、それぞれ凸型に屈曲して形成される。
【００２５】
結線部３１ａ〜３１ｅは、一方向（図２における左右方向）に沿って配列される。隣接する結線部３１ａ〜３１ｅの各間の配列ピッチ（配列方向において隣接する結線部３１ａ〜３１ｅの各中心Ｑａ〜Ｑｅ間の距離）は、それぞれ、ｐ１，ｐ２，ｐ３，ｐ４である。
【００２６】
ボディ４は、ＭＩＤ技術により表面に形成された設置配線部（配線部）３ｆを更に備える。接地配線部３ｆは、同軸ケーブル２ｄ，２ｅのシールド層２３ｄ，２３ｅに結線される結線部３１ｆと、２つの接点部３２ｆとを有する。
【００２７】
結線部３１ｆは、接地配線部３ｆの一端側に形成される。２つの接点部３２ｆは、それぞれ接地配線部３ｆの他端側に形成される。２つの接点部３２ｆは、結線部３１ｆから分岐してそれぞれ延伸する２本の帯状の延伸部を介して、結線部３１ｆに連結される。２つの接点部３２ｆは、接地配線部３ｆの２本の延伸部において、それぞれ凸型に屈曲して形成される。
【００２８】
接点部３２ａ〜３２ｆは、互いに同一形状であり、一方向（図２における左右方向）に沿って、所定のピッチで配列される。隣接する接点部３２ａ〜３２ｆの各間の配列ピッチ（配列方向において隣接する接点部３２ａ〜３２ｆの各中心Ｒａ〜Ｒｆ間の距離）は、それぞれｐ５である。
【００２９】
結線部３１ａ〜３１ｅと、接点部３２ａ〜３２ｆとは、ＭＩＤ技術により形成されるため、容易に、互いに異なる配列ピッチで配置されることができる。また、結線部３１ａ〜３１ｅと、接点部３２ａ〜３２ｆとは、容易に、配線幅（配列方向における幅）が互いに異なるように形成されることができる。また、結線部３１ａ〜３１ｅは、容易に、配列方向における各中心Ｑａ〜Ｑｅが、対応する接点部３２ａ〜３２ｆの各中心Ｒａ〜Ｒｅとそれぞれずらして配置されることができる。このように、コネクタ１の配線部３ａ〜３ｅは、配線部３ａ〜３ｆが必要な嵌合のための機械的特性、及び電気的特性に応じて、配線幅を変更することが容易である。
【００３０】
２つの接点部３２ｆ及び接地配線部３ｆの２本の延伸部は、結線部３１ａ〜３１ｆの配列方向において、配線部３ａ〜３ｅの両端側に形成される。接地配線部３ｆは、接地電位に接続される。即ち、結線部３１ｆは、シールド層２３ｄ，２３ｅ及び接地電位に、電気的に接続される。接点部３２ｆは、信号用端子である接点部３２ａ〜３２ｅに対して、接地用端子板として機能する。
【００３１】
結線部３１ｆがシールド層２３ｄ，２３ｅ及び接地電位に接続されることにより、接地用の部材を兼用することができ、接地用の別部材が不要となる。これにより、部品数を削減でき、コネクタ１の製造コストを低減することができる。また、接地配線部３ｆの延伸部が、他の配線部３ａ〜３ｅの両端側に位置することにより、信号用の配線部３ａ〜３ｅにおけるノイズを低減することができる。
【００３２】
ボディ４は、ケーブル２ａ〜２ｅを支持するケーブル支持部４１と、コネクタ１と対をなす対象と嵌合する嵌合部４６とを有する。ボディ４は、概略として平板状である。ボディ４は、樹脂等により一体成型される。ボディ４とケーブル２ａ〜２ｅとは、互いに略平行になるように配置される。
【００３３】
ケーブル支持部４１は、ボディ４の一方側に形成される、ケーブル支持部４１は、概略として矩形平板状である。ケーブル支持部４１は、３辺にＵ字型の周縁部を残すように、厚さが他所より薄く形成されたケーブル収容部４０を有する。また、ケーブル支持部４１は、互いに対向する周縁部の外側壁に、コネクタ１と対をなす対象に掛かり合うフック部４９を有する。
【００３４】
ケーブル収容部４０は、各ケーブル２ａ〜２ｅの結線される先端部を収容する。ケーブル収容部４０は、ケーブル支持部４１の１辺であるＵ字型の周縁部の開口部から、ケーブル２ａ〜２ｅの先端部が挿入される。ケーブル収容部４０は、ケーブル２ａ〜２ｅが挿入される１辺の近傍に、被覆層２２ａ〜２２ｃ及びシールド層２３ｄ，２３ｅの各間が間隙を有するようにケーブル２ａ〜２ｅの位置決めをするリブ部４２を底面に備える。
【００３５】
ケーブル収容部４０は、図３及び図４に示すように、露出したシールド層２３ｄ，２３ｅの下方に位置する２つの領域を連結するように、リブ部４２の表面に亘って、シールド層２３ｄ，２３ｅそれぞれに結線される一体の結線部３１ｆが配置されている。
【００３６】
結線部３１ｆは、リブ部４２の頂部から側面部４２２及びリブ部４２に挟まれた底面部４２１に亘って形成されるため、シールド層２３ｄ，２３ｅの外側面に沿うように形成された凹部を有する。これにより、シールド層２３ｄ，２３ｅは、結線部３１ｆが溝状の凹部を有するため、位置決めが容易であり、安定して半田付けを行うことができ、結線部３１ｆに強固に結線されることができる。半田付けは、レーザ法、パルスヒート法等により行うことができる。
【００３７】
ケーブル収容部４０は、複数のリブ部４２のそれぞれ延長線上の底面に、それぞれ、凸部４３，４４を有する。凸部４３は、隣接する芯線２１ａ〜２１ｃ、第１被覆層２２ｄ，２２ｅの各間が間隙を有するようにケーブル２ａ〜２ｅの位置決めをする。凸部４４は、芯線２１ａ〜２１ｅの各間が間隙を有するようにケーブル２ａ〜２ｅの位置決めをする。
【００３８】
ケーブル収容部４０は、図５に示すように、露出した芯線２１ａ〜２１ｃの下方に位置する底面の各領域に、芯線２１ａ〜２１ｅそれぞれに結線される結線部３１ａ〜３１ｅがそれぞれ配置されている。
【００３９】
芯線２１ａ〜２１ｅは、ケーブル収容部４０がそれぞれ複数の凸部４３，４４を有するため、位置決めが容易であり、安定して半田付けを行うことができ、結線部３１ｆに強固に結線されることができる。半田付けは、レーザ法、パルスヒート法等により行うことができる。
【００４０】
ケーブル収容部４０は、結線部３１ａ〜３１ｅとそれぞれ結線された芯線２１ａ〜２１ｅが、それぞれ同一の接平面Ｑを有するように、底面に段差部が形成される。ケーブル収容部４０の底面の段差部は、ディスクリートケーブル２ａ〜２ｃと、同軸ケーブル２ｄ，２ｅとの間に、同軸ケーブル２ｄ，２ｅが位置する底面の方が高くなるように形成される。
【００４１】
ケーブル収容部４０が、段差部を有することにより、異なる太さの芯線２１ａ〜２１ｅを有するケーブル２ａ〜２ｅであっても、同一の高さを有するように配置することができる。芯線２１ａ〜２１ｅは、接平面Ｑにおいて同一の高さを有するので、一括して半田付けを行うことができ、コネクタ１の製造コストを低減することができる。半田付けは、レーザ法、パルスヒート法等により行うことができる。
【００４２】
また、ケーブル収容部４０にリブ部４２及び凸部４３，４４が形成されることにより、半田付けの際、アラミド線等のより線である芯線２１ａ〜２１ｅが熱でばらけても、隣接する芯線２１ａ〜２１ｅとのショートの発生を低減することができる。
【００４３】
嵌合部４６は、ボディ４の他端側に形成され、ケーブル支持部４１の３辺の周縁部のうち、中央の１辺側に連結する。嵌合部４６は、概略として矩形平板状である。嵌合部４６は、枠状の周縁部を残すように、厚さが他所より薄く形成された嵌合凹部４５を有する。嵌合部４６は、ケーブル支持部４１と連結される辺に対向する１辺に沿うように形成されたリブ状の嵌合凸部４７を有する（図１及び図２参照）。
【００４４】
配線部３ａ〜３ｆの延伸部は、ケーブル支持部４１から嵌合部４６の嵌合凸部４７に亘って形成される。接点部３２ａ〜３２ｆは、嵌合凸部４７に対してそれぞれ垂直に延伸し、それぞれ嵌合凸部４７の表面に形成された配線部３ａ〜３ｆの延伸部からなる。配線部３ａ〜３ｅの延伸部は、ケーブル２ａ〜２ｅに沿う方向に延伸する。接地配線部３ｆの延伸部は、ケーブル支持部４１の互い対向する周縁部の表面を延伸する。
【００４５】
嵌合部４６は、嵌合凸部４７から嵌合凹部４５を隔てた反対方向に突出する突出部４８を有する。突出部４８は、嵌合凹部４５と同程度の厚さを有する平板からなり、配線部３ａ〜３ｆの延伸部の残余部分が形成される。
【００４６】
コネクタ１は、図６〜図８に示すように、コネクタ１と対をなす対象コネクタ５と嵌合する。対象コネクタ５は、プラグコネクタであるコネクタ１に対するレセプタクルコネクタである。対象コネクタ５は、例えば、基板５２の上面に搭載される。
【００４７】
対象コネクタ５は、コネクタ１の嵌合凹部４５、嵌合凸部４７及び突出部４８と嵌合するステージ状の対象嵌合部５６を有する。対象嵌合部５６は、リブ状の嵌合凹部４５と嵌合する溝状に形成され、対象接点端子５１ａ〜５１ｆがそれぞれ配列される凹部を有する。対象接点端子５１ａ〜５１ｆは、接点部３２ａ〜３２ｆと嵌合するように、凹型に屈曲して形成される。接点部３２ａ〜３２ｆは、コネクタ１が対象コネクタ５と嵌合することにより、対象接点端子５１ａ〜５１ｆに接触する。対象接点端子５１ａ〜５１ｆは、基板５２の上面に形成された端子板５３ａ〜５３ｅにそれぞれ電気的に接続される。
【００４８】
対象コネクタ５は、対象接点端子５１ａ〜５１ｆの配列方向における両端側に、互い平行に設けられた平板状の５８を有する。固定部５８は、内部にそれぞれ設けられた補強金具５０により、強度が補強される。固定部５８は、互いに対向する面に、コネクタ１のフック部４９と掛かり合うフック受け部５９をそれぞれ有する。コネクタ１は、フック部４９とフック受け部５９とが掛かり合うことにより、対象コネクタ５に固定される。
【００４９】
第１実施形態に係るコネクタ１によれば、一体成型されたボディ４がＭＩＤ技術により形成された配線部３ａ〜３ｅを備えることにより、容易に結線部３１ａ〜３１ｆと接点部３２ａ〜３２ｆとのピッチを独立して調整することができる。よって、コネクタ１によれば、簡単な構成で、容易に複数種類のケーブルに対応することができる。
【００５０】
（第２実施形態）
本発明の第２実施形態に係るコネクタ１Ａは、図９に示すように、対象に嵌合されず、基板に直接搭載されるタイプのコネクタである点で第１実施形態と異なる。第２実施形態において説明しない他の構成、作用及び効果は、第１実施形態と実質的に同様であるので省略する。
【００５１】
コネクタ１Ａは、複数のケーブル２ａ〜２ｅと、概略として平板状であり、複数のケーブル２ａ〜２ｅにそれぞれ対応する複数の配線部６ａ〜６ｅを備えるボディ４Ａとを備える。
【００５２】
配線部６ａ〜６ｅは、図１０〜図１３に示すように、ＭＩＤ技術により、ボディ４Ａの表面にそれぞれ形成される。配線部６ａ〜６ｅは、図１４に示すように、ケーブル２ａ〜２ｅにそれぞれ結線される結線部６１ａ〜６１ｅと、接点部６２ａ〜６２ｅとをそれぞれ有する。結線部６１ａ〜６１ｅは、配線部６ａ〜６ｅのそれぞれ一端側に形成される。接点部６２ａ〜６２ｅは、配線部６ａ〜６ｅのそれぞれ他端側に形成される。接点部６２ａ〜６２ｅは、結線部６１ａ〜６１ｅからそれぞれ延伸する帯状の延伸部を介して、それぞれ結線部６１ａ〜６１ｅに連結される。
【００５３】
結線部６１ａ〜６１ｅは、一方向（図１１における上下方向）に沿って配列される。隣接する結線部６１ａ〜６１ｅの各間の配列ピッチ（配列方向において隣接する結線部６１ａ〜６１ｅの各中心Ｑａ〜Ｑｅ間の距離）は、それぞれ、ｐ１，ｐ２，ｐ３，ｐ４である。
【００５４】
ボディ４Ａは、ＭＩＤ技術により表面に形成された設置配線部（配線部）６ｆを更に備える。接地配線部６ｆは、同軸ケーブル２ｄ，２ｅのシールド層２３ｄ，２３ｅに結線される結線部６１ｆと、接点部６２ｆとを有する。結線部６１ｆは、接地配線部６ｆの一端側に形成される。接点部６２ｆは、接地配線部６ｆの他端側に形成される（図１４（ｂ）参照）。接点部６２ｆは、結線部６１ｆから延伸する帯状の延伸部を介して、結線部６１ｆに連結される。
【００５５】
結線部６１ｆは、シールド層２３ｄ，２３ｅ及び接地電位に、電気的に接続される。接点部６２ｆは、信号用端子である接点部６２ａ〜６２ｅに対して、接地用端子として機能する。結線部６１ｆがシールド層２３ｄ，２３ｅ及び接地電位に接続されることにより、接地用の部材を兼用することができ、接地用の別部材が不要となる。これにより、部品数を削減でき、コネクタ１Ａの製造コストを低減することができる。
【００５６】
接点部６２ａ〜６２ｆは、互いに同一形状であり、一方向（図１１及び図１３における上下方向）に沿って、所定のピッチでボディ４Ａの両端側に、２列に配列される。隣接する接点部６２ａ〜６２ｆの各間の配列ピッチ（配列方向において隣接する接点部６２ａ，６２ｂ，６２ｆ及びの６２ｃ，６２ｄ，６２ｅ各中心間の距離Ｒａ，Ｒｂ，Ｒｆ及びＲｃ，Ｒｄ，Ｒｅ）は、それぞれｐ６である。
【００５７】
接点部６２ａ〜６２ｆは、それぞれ、垂直な円筒を縦に２等分し、内側面が外側方向を向くように形成される。接点部６２ａ〜６２ｆは、ボディ４Ａの両面に、上端及び下端となるフランジが形成される。接点部６２ａ〜６２ｆは、コネクタ１Ａが基板に搭載される際、基板が備える各端子に半田付けされる。
【００５８】
結線部６１ａ〜６１ｅと、接点部６２ａ〜６２ｆとは、ＭＩＤ技術により形成されるため、容易に、互いに異なる配列ピッチで配置されることができる。また、結線部６１ａ〜６１ｅと、接点部６２ａ〜６２ｆとは、容易に、配線幅（配列方向における幅）が互いに異なるように形成されることができる。また、結線部６１ａ〜６１ｅは、容易に、配列方向における各中心Ｑａ〜Ｑｅが、対応する接点部６２ａ〜６２ｅの各中心Ｒａ〜Ｒｅとそれぞれずらして配置されることができる。このように、コネクタ１の配線部６ａ〜６ｅは、配線部６ａ〜６ｆが必要な嵌合のための機械的特性、及び電気的特性に応じて、配線幅を変更することが容易である。
【００５９】
ボディ４Ａは、ケーブル２ａ〜２ｅを支持するケーブル支持部４１を有する。ボディ４Ａは、樹脂等により一体成型される。ボディ４Ａとケーブル２ａ〜２ｅとは、互いに略平行になるように配置される。
【００６０】
ケーブル支持部４１は、概略として矩形平板状である。ケーブル支持部４１は、枠状の周縁部を残すように、厚さが他所より薄く形成されたケーブル収容部４０を有する。ケーブル収容部４０は、各ケーブル２ａ〜２ｅの結線される先端部を収容する。ケーブル収容部４０は、ケーブル支持部４１の１辺であるＵ字型の周縁部の開口部から、ケーブル２ａ〜２ｅの先端部が挿入される。ケーブル収容部４０は、ケーブル２ａ〜２ｅが挿入される１辺の近傍に、被覆層２２ａ〜２２ｃ及びシールド層２３ｄ，２３ｅの各間が間隙を有するようにケーブル２ａ〜２ｅの位置決めをするリブ部４２を底面に備える。
【００６１】
ケーブル収容部４０は、図１０に示すように、露出したシールド層２３ｄ，２３ｅの下方に位置する２つの領域を連結するように、リブ部４２の表面に亘って、シールド層２３ｄ，２３ｅそれぞれに結線される一体の結線部６１ｆが配置されている。
【００６２】
結線部６１ｆは、リブ部４２の頂部から側面部及びリブ部４２に挟まれた底面部に亘って形成されるため、シールド層２３ｄ，２３ｅの外側面に沿うように形成された凹部を有する。これにより、シールド層２３ｄ，２３ｅは、結線部６１ｆが溝状の凹部を有するため、位置決めが容易であり、安定して半田付けを行うことができ、結線部６１ｆに強固に結線されることができる。半田付けは、レーザ法、パルスヒート法等により行うことができる。
【００６３】
ケーブル収容部４０は、複数のリブ部４２のそれぞれ延長線上の底面に、それぞれ、凸部４３，４４を有する。凸部４３は、隣接する芯線２１ａ〜２１ｃ、第１被覆層２２ｄ，２２ｅの各間が間隙を有するようにケーブル２ａ〜２ｅの位置決めをする。凸部４４は、芯線２１ａ〜２１ｅの各間が間隙を有するようにケーブル２ａ〜２ｅの位置決めをする。
【００６４】
ケーブル収容部４０は、露出した芯線２１ａ〜２１ｃの下方に位置する底面の各領域に、芯線２１ａ〜２１ｅそれぞれに結線される結線部６１ａ〜６１ｅがそれぞれ配置されている。芯線２１ａ〜２１ｅは、ケーブル収容部４０がそれぞれ複数の凸部４３，４４を有するため、位置決めが容易であり、安定して半田付けを行うことができ、結線部６１ｆに強固に結線されることができる。半田付けは、レーザ法、パルスヒート法等により行うことができる。
【００６５】
ケーブル収容部４０は、結線部６１ａ〜６１ｅとそれぞれ結線された芯線２１ａ〜２１ｅが、それぞれ同一の接平面Ｑを有するように、底面に段差部が形成される（図９（ｂ）、図１４参照）。ケーブル収容部４０の底面の段差部は、ディスクリートケーブル２ａ〜２ｃと、同軸ケーブル２ｄ，２ｅとの間に、同軸ケーブル２ｄ，２ｅが位置する底面の方が高くなるように形成される。
【００６６】
第２実施形態に係るコネクタ１Ａによれば、一体成型されたボディ４ＡがＭＩＤ技術により形成された配線部６ａ〜６ｅを備えることにより、容易に結線部６１ａ〜６１ｆと接点部６２ａ〜６２ｆとのピッチを独立して調整することができる。よって、コネクタ１Ａによれば、簡単な構成で、容易に複数種類のケーブルに対応することができる。
【００６７】
−変形例−
結線部６１ａ〜６１ｅは、図１５及び図１６に示すように、ケーブル２ａ〜２ｅの各芯線２１ａ〜２１ｅの外周面に沿うように、凹状に形成された結線面を有するようにしてもよい。第２実施形態の変形例に係るコネクタ１Ｂは、ボディ４Ｂのケーブル収容部４０に形成された溝状の凹部４０１を有する。
【００６８】
凹部４０１は、各芯線２１ａ〜２１ｅの外周面に沿うように、それぞれ凹状に形成されればよい。ＭＩＤ技術により形成される配線部６ａ〜６ｅの結線部６１ａ〜６１ｅは、ボディ４Ｂの表面に応じた形状となる。よって、各芯線２１ａ〜２１ｅの外周面に沿う結線面を有する結線部６１ａ〜６１ｅは、ケーブル収容部４０の底面のうち、結線部６１ａ〜６１ｅが形成される領域に、結線部６１ａ〜６１ｅに対応する溝状の凹部４０１を形成することにより、容易に形成される。
【００６９】
（その他の実施形態）
上記のように、本発明を実施形態によって記載したが、この開示の一部をなす論述及び図面は本発明を限定するものであると理解すべきではない。この開示から当業者には様々な代替実施形態、実施例及び運用技術が明らかとなろう。
【００７０】
例えば、既に述べた第１実施形態において、ケーブル収容部４０の底面は、第２実施形態の変形例に係るコネクタ１Ｂが有する凹部４０１が形成されるようにしてもよい。
【００７１】
上記の他、本発明の実施形態及び変形例を応用した構成等、本発明はここでは記載していない様々な実施形態等を含むことは勿論である。したがって、本発明の技術的範囲は上記の説明から妥当な特許請求の範囲に係る発明特定事項によってのみ定められるものである。
【符号の説明】
【００７２】
１，１Ａ，１Ｂ  コネクタ
２ａ〜２ｃ  ディスクリートケーブル（ケーブル）
２ｄ，２ｅ  同軸ケーブル（ケーブル）
３ａ〜３ｅ，６ａ〜６ｅ  配線部
３ｆ，６ｆ  接地配線部（配線部）
４，４Ａ，４Ｂ  ボディ
５  対象コネクタ
２１ａ〜２１ｅ  芯線
２３ｄ，２３ｅ  シールド層
３１ａ〜３１ｆ，６１ａ〜６１ｆ  結線部
３２ａ〜３２ｆ，６２ａ〜６２ｆ  接点部
４３，４４  凸部
５１ａ〜５１ｆ  対象接点端子（端子）
４０１  凹部
【図１】
2015072815.tif 000003
【図２】
2015072815.tif 000004
【図３】
2015072815.tif 000005
【図４】
2015072815.tif 000006
【図５】
2015072815.tif 000007
【図６】
2015072815.tif 000008
【図７】
2015072815.tif 000009
【図８】
2015072815.tif 000010
【図９】
2015072815.tif 000011
【図１０】
2015072815.tif 000012
【図１１】
2015072815.tif 000013
【図１２】
2015072815.tif 000014
【図１３】
2015072815.tif 000015
【図１４】
2015072815.tif 000016
【図１５】
2015072815.tif 000017
【図１６】
2015072815.tif 000018